【事件の表示】
　特願２０１３−１３４７２３「コンテンツ再生を制御するためのシステム及び方法」拒絶査定不服審判事件〔平成２６年　２月　３日出願公開、特開２０１４−　２３１４６〕について、次のとおり審決する。
【結　論】
　本件審判の請求は、成り立たない。
【理　由】
第１　経緯  
１．手続　
　本願は、２０１３年（平成２５年）６月２７日（パリ条約による優先権主張外国庁受理、２０１２年７月１９日、米国、２０１３年３月４日、韓国）を出願日とする出願であって、手続の概要は以下のとおりである。
　
拒絶理由通知　　　　　　　：平成２６年　５月２８日（起案日）
手続補正　　　　　　　　　：平成２６年　９月　２日
拒絶査定　　　　　　　　　：平成２６年１１月　６日（起案日）
拒絶査定不服審判請求　　　：平成２７年　３月１１日
手続補正　　　　　　　　　：平成２７年　３月１１日
前置審査報告　　　　　　　：平成２７年　５月１１日
上申書　　　　　　　　　　：平成２７年　７月２９日
　
２．査定
　原審での査定の理由は、概略、以下のとおりである。
　
　本願の各請求項に係る発明（平成２６年９月２日付け手続補正書による）は、下記刊行物に記載された発明および周知技術に基づいて当業者が容易に発明をすることができたものであるから、特許法第２９条第２項の規定により、特許を受けることができない。
　　　　　記　
刊行物１：特開２０１２−２９０１９号公報
刊行物２：国際公開第２０１１／０３７７６１号
刊行物３：特表２００７−５３４２３５号公報
　
第２　補正却下の決定 
　平成２７年３月１１日付けの手続補正（以下、「本件補正」という。）について次のとおり決定する。 
　　
《結論》
　平成２７年３月１１日付けの手続補正を却下する。
 　
《理由》
　
１．本件補正の内容
　平成２７年３月１１日付けの手続補正（以下「本件補正」という）は、補正前の請求項１９を、他の請求項が削除されたことにより補正後の請求項１７とし、当該請求項の記載を以下のとおりとする補正事項を含むものである。
 　
（補正前）
　　【請求項１９】
　コンテンツ再生を制御するための方法であって、
　再生装置でコンテンツを再生するステップと、
　少なくとも一つの感知器を利用して視聴者状態感知領域をモニタリングするステップと、
　モニタリングした前記視聴者状態感知領域の特徴に基づいて再生中の前記コンテンツに対する少なくとも一つの関心地点（ＰＯＩ）を識別して確認するステップと、
　コントローラによって、ユーザの入力又は予め定義されたプロファイルに応じて前記コンテンツの再生を制御するステップと、を有することを特徴とする方法。
　
（補正後）
　　【請求項１７】
　コンテンツ再生を制御するための方法であって、
　再生装置でコンテンツを再生するステップと、
　少なくとも一つの感知器を利用して視聴者状態感知領域をモニタリングするステップと、
　モニタリングした前記視聴者状態感知領域で複数の視聴者に対する行動及び騒音レベルの内の少なくとも１つに基づいて前記複数の視聴者別に再生中の前記コンテンツに対する少なくとも一つの関心地点（ＰＯＩ）を識別して確認するステップと、
　前記コンテンツ上に前記関心地点を含むタイムラインインジケータを重ねて表示するステップと、
　コントローラによって、ユーザの入力又は予め定義されたプロファイルに応じて前記コンテンツの再生を制御するステップと、を有し、
　前記関心地点は、前記複数の視聴者を区分して互いに異なるように表示されることを特徴とする方法。
 　
２．本件補正の適合性  
（２−１）補正の範囲  
　上記補正事項は、願書に最初に添付した明細書又は図面に記載した事項の範囲内においてする補正である。
　
（２−２）補正の目的 
　上記補正事項は、補正前の請求項１９の「関心地点（ＰＯＩ）」の構成について、　
ａ）関心地点を確認するための「視聴者状態感知領域の特徴」を「視聴者状態感知領域で複数の視聴者に対する行動及び騒音レベルの内の少なくとも１つ」と限定する補正、
ｂ）「再生中の前記コンテンツに対する少なくとも一つの関心地点（ＰＯＩ）」を「前記複数の視聴者別に再生中の前記コンテンツに対する少なくとも一つの関心地点（ＰＯＩ）」の構成と限定する補正、
ｃ）「前記コンテンツ上に前記関心地点を含むタイムラインインジケータを重ねて表示するステップ」を付加する補正、
ｄ）「前記関心地点は、前記複数の視聴者を区分して互いに異なるように表示される」構成を付加する補正、
を行ったものである。
　これらは、いずれも「関心地点」の構成について限定事項を付加したものであるといえる。
　したがって、本件補正は、補正前の請求項１９に係る発明を特定するために必要な事項を限定するものであって、かつ、補正の前後において発明の産業上の利用分野及び解決しようとする課題は同一であるから、本件補正は、特許法第１７条の２第６項において準用する同法第１２６条第７項の規定された、特許請求の範囲の減縮に該当する補正事項を含んでいると認められる。
　
（２−３）独立特許要件  
　そこで、以下、上記補正後の請求項１７に係る発明が独立特許要件を満たすか否かについて検討する。
 　
（ア）補正後発明 
　本件補正後の請求項１７に係る発明（以下「補正後発明」という。）は、以下のとおりである。（（Ａ）ないし（Ｇ）は当審において付与した。以下「構成要件（Ａ）」等として引用する。） 
　
　　【請求項１７】
（Ａ）コンテンツ再生を制御するための方法であって、
（Ｂ）再生装置でコンテンツを再生するステップと、
（Ｃ）少なくとも一つの感知器を利用して視聴者状態感知領域をモニタリングするステップと、
（Ｄ）モニタリングした前記視聴者状態感知領域で複数の視聴者に対する行動及び騒音レベルの内の少なくとも１つに基づいて前記複数の視聴者別に再生中の前記コンテンツに対する少なくとも一つの関心地点（ＰＯＩ）を識別して確認するステップと、
（Ｅ）前記コンテンツ上に前記関心地点を含むタイムラインインジケータを重ねて表示するステップと、
（Ｆ）コントローラによって、ユーザの入力又は予め定義されたプロファイルに応じて前記コンテンツの再生を制御するステップと、を有し、
（Ｇ）前記関心地点は、前記複数の視聴者を区分して互いに異なるように表示されることを特徴とする方法。
 　
（イ）引用刊行物の記載  
（イ−１）刊行物１の記載事項 
　原査定の拒絶の理由に引用された刊行物である特開２０１２−２９０１９号公報（以下、刊行物１という。）には、図面と共に次に掲げる事項が記載されている。
　
【発明が解決しようとする課題】
【０００５】
  特許文献１では、例えばユーザが視聴エリアから離れた場合に再生しているコンテンツの一時停止を行い、ユーザが視聴エリアに戻ってきたら一時停止していたコンテンツの再生を再開することや、例えば視聴エリアに複数のユーザがいる場合に、そのうちの１人が視聴エリアから離れたとしても再生を続行することが開示されているが、ユーザが視聴エリアから離れてもコンテンツの再生を継続した場合に、そのユーザが見逃したシーンに関しては何ら考慮されていない。
【０００６】
  また、特許文献２では、利用者が他の場所や移動先で、出力未完了部分を視聴できるように、利用者の在否に基づいて、映像コンテンツをどの位置まで再生していたかを推定してチャプタを作成する方法が記載されているが、シーンの先頭位置を記録した後の処理や省電力、ユーザへの具体的な提示方法、ユーザ操作と人検知情報との組合せ制御などに関しては、考慮されていない。
【課題を解決するための手段】
【０００７】
  上記課題を解決するために、本発明の一実施の態様は、例えばコンテンツが入力される入力部と、コンテンツの再生位置を記録する再生位置記録部と、コンテンツを表示する表示部と、所定の範囲の人の存否を判定するセンサと、前記センサの判定に基づいて前記所定の範囲に人がいない期間を計測するタイマとを備え、前記センサが所定の範囲に人がいないと判定した場合に、再生しているコンテンツの再生位置を前記再生位置記録部において記録し、前記タイマで測定した期間に応じて、前記再生位置記録部に記録された再生位置からの当該コンテンツの再生開始を促す表示の有無を制御するように構成する。
【発明の効果】
【０００８】
  上記手段によれば、映像や音声などのコンテンツの再生について、省電力を可能にするとともに、ユーザの使い勝手を向上する効果をもたらす。
　
【００１０】
  以下、図面を用いて実施例を説明する。
【実施例１】
【００１１】
  図１は、本実施例における再生装置の構成の一例を示す図である。
【００１２】
  図1において、１００はコンテンツ再生装置であり、１０１はコンテンツ入力部、１０２は操作部、１０３は情報記憶部、１０４はチャプタ作成部、１０５はタイマ、１０６は映像／音声処理部、１０７は再生／記録制御部、１０８はコンテンツ記録部、１０９はセンサ制御部、１１０はセンサ、１１１は出力制御部、１１２は表示部である。なお、図１では１０１〜１１２の各部は独立しているが、必要に応じて１または複数の構成要件で構成されてもよい。例えば、１０４、１０６、１０７、１０９、及び１１１は１又は複数のＣＰＵでその処理を行うように構成しても良い。
【００１３】
  コンテンツ入力部１０１は、ラジオ、テレビ、ＣＡＴＶなどの映像や音声、EPGなどのデータを放送波で受信するチューナ装置や、光ディスクなどのプレーヤ装置やゲーム機、さらには、インターネットからのコンテンツを受信するための外部入力装置で構成され、映像や音声、文字などのコンテンツの入力ができるインタフェースである。
【００１４】
  操作部１０２は、リモコンからの信号を受信する受光部や操作パネルなどで構成され、ユーザからの入力を受け付けることができるインタフェースである。
【００１５】
  情報記憶部１０３は、不揮発性や揮発性のメモリ装置で構成され、操作部からユーザが設定する設定値や、後述するチャプタ情報などを保存するための記憶部である。
【００１６】
  チャプタ制御部１０４は、センサ制御部１０９からの検知エリア（センサが人の存否を検知するエリア）内の人物の視聴状況などを判断して、コンテンツにチャプタを作成する。本実施例では、コンテンツの再生位置として、チャプタと記載しているが、タイムコードやレジュームポイントなどコンテンツの再生位置を記録する仕組みを利用しても良い。
【００１７】
  タイマ１０５は、時刻情報を管理し、任意のタイミングからの時間を計測できる機能を持ち、センサ出力値の時刻情報や人物の不在時間計測、コンテンツ再生時間制御などに利用する。
【００１８】
  映像／音声処理部１０６は、コンテンツ入力部１０１からのコンテンツのデコード処理や、コンテンツ記録部１０８に記録するためのエンコード処理、出力制御部１１１の要求に合った映像や音声の変換処理などを行う。
【００１９】
  再生／記録制御部１０７は、操作部１０２からのユーザ操作や、チャプタ情報に従い、再生、一時停止、停止、チャプタジャンプなどコンテンツの再生動作を制御と、コンテンツ記録部１０８とのインタフェースを持ち、コンテンツをエンコードしてコンテンツ記録装置１０８に記録する制御を行う。コンテンツ再生位置（チャプタ位置や再生フレーム数、コンテンツ頭からの再生経過時間など）も管理する。
【００２０】
  コンテンツ記録部１０８は、ハードディスク（ＨＤＤ）やＳＳＤ（Solid State Drive(Disk)）などの半導体素子でできたメモリなどで構成され、ディレクトリ構成を持ち、ファイル単位でコンテンツを記録できる。また、要求に応じて指定した位置からコンテンツを読み出せる仕組みを持つ。
【００２１】
  センサ制御部１０９は、センサ１１０の制御を行い、センサからの出力情報の加工などを行う。カメラセンサやマイクセンサ利用時は、映像／音声処理部１０６を利用するなどして、センサ１１０からの映像や音声から特徴量を抽出する。映像／音声処理部１０６での処理負荷軽減のために、センサ制御部１０９内に別途映像／音声処理部を設けても良い。
【００２２】
  センサ１１０は、人感センサやカメラセンサ、マイクセンサなどで構成され、検知エリア内の人物の在不在や視聴状況、視聴者数、視聴者識別などを検知する。センサの種類に関してはこれらに限定されず、人物の存在を検知できるセンサであれば他のセンサでもよい。
【００２３】
  出力制御部１１１は、パネルなどの映像表示装置、スピーカなどの音声出力装置に対して、装置の要求に応じた出力制御を行う。出力制御部１１１は、例えば表示部１１２の電源をＯＦＦに制御したり、表示部１１２での映像の表示を停止（消画）させたり、表示部１１２の表示輝度を低下させることにより、省エネルギーを実現することができる。表示部１１２の電源をＯＦＦに制御する際や、表示部１１２での映像の表示を停止（消画）する際には、表示部１１２への映像信号の出力を停止してもよい。
【００２４】
  表示部１１２は、液晶や有機ＥＬ、プラズマ、ＬＥＤなどの表示装置や、外部の表示デバイスに映像信号や音声信号を出力するインタフェースであり、出力制御部に従って、ユーザに映像や文字などの情報を表示する。
　
【００２８】
  センサ制御部１０９にて、センサからの出力が無い、または、ある閾値よりも少ない反応しかないという状況が所定期間続き、人が居ないことを検知（Ｓ２０１）した場合に、コンテンツ再生装置はＳ２０２においてコンテンツが再生されているかを確認し、コンテンツが再生中の場合には、チャプタの作成（センサ連動チャプタ作成）（Ｓ２０３）を行う。
【００２９】
  センサ連動チャプタ作成では、センサ制御部１０９において人が居ないことの判定を開始するタイミング（タイマ開始タイミング）、またはタイマ開始タイミングから数秒前に戻った再生位置にチャプタを作成する。これにより、不在になり見逃したシーンの先頭か、その少し前からの再開が可能になる。タイマ開始タイミングについては図４、５を用いて後述する。
【００３０】
  その後、センサ制御部１０９にて人が居ないと判定されているので、再生を停止して省エネルギーモードに移行するなどの再生、省電力表示処理（S２０４）を行う。
【００３１】
  これにより、コンテンツの再生中にユーザが席を外して部屋（視聴エリア）から不在になった場合などであっても、不在になったタイミング（またはその少し前のタイミング）で再生中のコンテンツにチャプタを作成することが可能となる。そのため、省エネルギーの実現とともに、ユーザが部屋（視聴エリア）戻ってきた際に、ユーザが不在になったシーンからそのコンテンツの再生を再開することができる効果がある。なお、視聴エリアとはセンサが人の存否を検知できる範囲（検知エリア）、または人の存否を検知できる範囲（検知エリア）のうちの一部の所定の範囲等である。
　
【００３７】
  図２を用いて説明した処理により、コンテンツの再生中にユーザが不在（視聴エリアから外れる状態）になった場合であっても、再生中のコンテンツに対して不在となったタイミング付近にチャプタが付加されることとなる。そのため、ユーザが視聴エリアに戻ってきた際には、そのチャプタを選択することで見逃したシーンを簡単に見つけられる効果がある。
　
【００４８】
  センサ連動チャプタ管理ファイル３０７、３１０は、人感センサやカメラセンサなどのセンサを利用して、ユーザの視聴状況に応じて作成されるチャプタを管理するファイルである。コンテンツ再生中に、ユーザが視聴エリアから離れた場合の再生位置などをチャプタとして保存する。チャプタ保存に関しては、複数個のチャプタ位置を記録させても良いし、１つのチャプタとして保存しても良い。
【００４９】
  複数個記録した場合には、不在で見逃したシーンを全部見たいというユーザには使い勝手が良い。１つのチャプタにして、最新の不在になった直後の見逃しシーンの開始位置を常に上書きして保存し、最新の見逃し位置のみ利用するユーザには使い勝手が良い。
　
【００６９】
  センサ制御部１０９においては、センサで不在を検知し始めてから、ある所定時間ある閾値以上のセンサの反応がなかった場合に不在であると判定するが、不在と判定するまでの時間を測定するタイマ開始の時刻の再生位置から所定時間ａ戻った再生位置にセンサ連動チャプタを作成し、図３の管理ファイル３０７や３１０にチャプタ情報を追加する。
【００７０】
  これにより、センサによる人検知制御において、人が視聴エリアに存在しないことが検知される場合には、センサ連動のチャプタが作成されるので、見逃し開始ポイントが保存されるメリットがある。
【００７１】
  チャプタ作成位置情報としては、再生コンテンツの再生フレーム番号やコンテンツストリームの再生開始位置からの再生経過時間などを使う。チャプタ作成位置は、フレーム単位に作成しても良いし、動画をデジタル記録する際に用いるＧＯＰ（Group Of Pictures）単位で作成しても良い。
【００７２】
  また、チャプタ作成位置の画像をサムネイルとして、センサ連動チャプタ管理ファイルに紐付けしても良い。この場合、ユーザが映像を見ながら見逃したシーンかどうかを選択できるメリットがある。
【００７３】
  Ｓ４０８にて、n倍再生中だった場合には、センサ制御部１０９において不在と判定するまでの時間は変わらないが、その間に再生される量もn倍多いことになるので、Ｓ４０８よりもn倍つまり、ａ×n戻った再生位置に(Ｓ４０９) センサ連動チャプタを作成する。これにより、等倍での再生中でも、倍速再生中でも、視聴エリアを離れて戻ってきた際には、不在になった再生位置にチャプタが作成されており、センサ連動チャプタを選択することで、不在になって見逃したシーンの視聴を容易に開始することができる。また、n倍速再生中に作成されたセンサ連動チャプタを、ユーザが選択した際には、n倍速再生での再生を再開しても良いし、n倍速再生か、一倍再生かどちらの再生再開をするかをユーザに問い合わせても良い。
　
【００７５】
  図５は、本実施例のコンテンツ再生装置での処理の一例を示す図であり、録画したコンテンツを再生中に、センサ検知エリア内に人物（ユーザ）が不在になり、ユーザが再び検知エリア内に戻ってきた場合のチャプタ作成動作例を示している。
【００７６】
  まず、ユーザはセンサ検知エリア内で、テレビを視聴している。この際、ユーザはテレビを視聴しながら、笑ったり、足を組み替えたり、頭をかいたりなど様々な動作をすることで、センサから電圧が出力されている状態である。センサ制御部１０９では、これらのセンサ出力から人検知の有無を推定し、センサ検知有フラグ（センサが人の存在を検知している場合にＯｎ、検知していない場合にＯｆｆと設定されるフラグ）のＯｎまたはＯｆｆを判定する。
【００７７】
  センサとして、焦電型の人感センサを利用した場合には、検知エリア内に存在する赤外線を集光し、赤外線（熱源）の変化がある場合には、焦電効果を生じ、電位差が発生するが、検知エリア内に熱源の動き変化がない場合には、安定時電圧Ｖ0を出力する特性を持つ。
【００７８】
  センサが安定時電圧Ｖ0とある閾値以内の値を出力し続けている際は、検知エリア内に人が不在と推定し、センサ検知有フラグをＯｆｆにし、ある閾値以上の値が出力された場合には、人が居ると推定して、センサ検知有フラグをＯｎにする。
【００７９】
  センサとして、カメラセンサを利用した場合には、テレビ側から視聴者側の映像を撮影し、カメラに映る範囲のエリアがセンサ検知エリアとなる。検知範囲エリア内での顔検知処理を行い、顔が検知された場合には、人がエリア内に居ることが判定できる。
【００８０】
  また、フレーム間の画素単位やブロック単位の変化がある場合には、人などの動体を検知することができる。動きのある部分の形や大きさなどから、その動きが人なのかペットなどの小動物なのかの推定なども行い、エリアに人が居るか居ないかの推定ができる。この動体を検知する場合も、カメラ撮影画面全体に占める動く量によって閾値をもうけ、ある閾値以上の動きがある場合には、人が居ると推定して、センサ検知有フラグをＯｎし、ある閾値以下の動きしかない場合には、センサ検知有フラグをＯｆｆにする。
【００８１】
  なお、部屋の電灯の点灯や消灯、窓から差し込む光などの影響を受け、フレーム間の輝度が大きく変化が生じるため、そのタイミングでセンサ検知有フラグがＯｎまたはＯｆｆと変化するおそれもある。よって、カメラ撮影画面全体に大きく変化がある場合には、センサ検知有フラグに影響を及ぼさないようにし、その後の動きの有無によって、センサ検知有フラグのＯｎまたはＯｆｆを判定するようにしてもよい。
【００８２】
  次に、ユーザがセンサ検知エリアを離れた場合には、人感センサやカメラセンサの反応から、センサ検知有フラグＯｎの状態からＯｆｆに遷移する。この場合には、センサ検知有フラグＯｎからＯｆｆに遷移したタイミングの再生位置から、ある所定期間ａ戻った再生位置にセンサ連動チャプタを作成する。
【００８３】
  センサ検知有フラグＯｎからＯｆｆに遷移したタイミングからある所定期間Ｔの間のセンサ出力値を確認し、本当に人が居ないかを確認する。その確認の期間は、まだ人がいる可能性があるので、コンテンツ再生は継続する。
【００８４】
  所定期間Ｔの間センサ出力値がある閾値以下であり、センサ検知有フラグがＯｆｆのままの場合には、コンテンツが視聴されていない可能性が高いので、コンテンツ再生を停止し、消画するなど省エネを図る。ユーザがエリア内に戻って来て、視聴を開始する場合には、作成されている中の最新のセンサ連動チャプタにジャンプして、不在なって見逃したシーンを見るかをユーザに知らせるメッセージをユーザに提示する。
【００８５】
  このように、人の行動をセンサ出力値から推定し、人が不在になった再生位置にチャプタを作成することで、視聴エリアにユーザがいない間の省電力化を実現し、さらにはユーザが視聴エリアに戻ってきた際に不在の間見逃したシーンを自動的に提示することが可能となる。
　
【００８７】
  人を検知するセンサとしては、人感センサ、カメラセンサ以外にも、音センサ（マイク）、距離センサ、光センサなど様々に考えられる。音センサの場合には、人間が活動している際に発生する物音や会話の音量の検知レベルを利用して、チャプタ作成の有無を判定する方法が考えられる。距離センサの場合には、検知エリア内の距離の変化で人の存在を検知する。光センサの場合には、時刻情報と組み合わせて、夜の時間帯にセンサがある閾値以上の明るさを出力した場合には、部屋の照明をつけており、人が活動している可能性が高いと判断して、人の存在を検知するなどして、チャプタ作成の有無を判断する。このように、人を検知するセンサの種類は限定されず、人の検知が可能なセンサであれば本実施例に適用可能である。
　
【００９１】
  Ｔmin≦Ｔ≦Ｔ０の場合（Ｓ６０６）は、再生動作は継続して行い、その期間にセンサ検知有フラグがＯｆｆからＯｎになった場合（Ｓ６０７）、センサ連動チャプタからの再生再開を促すメッセージを表示する（Ｓ６０８）。再生再開を促すメッセージとしては、図１２が例である。このメッセージは、ユーザのコンテンツ視聴を助けるものであるが、コンテンツ視聴の邪魔にならないように、数秒してもユーザ操作がなかった場合には、メッセージを消すことが望ましい。
　
【０１０６】
  図８は、コンテンツ再生を継続しつつ、センサ連動チャプタを利用したコンテンツ再生再開の促しをする場合の例であり、図６のＳ６０６、Ｓ６０７、Ｓ６０８のシーケンスの動作例である。センサ連動チャプタを作成するシーケンスに従い、センサ検知有フラグがＯｎからＯｆｆに切り替わるタイミングでのコンテンツの再生位置の所定時間ａ戻った位置にセンサ連動チャプタが作成され、センサ連動チャプタ管理ファイルが更新される。
【０１０７】
  そして、ユーザが例えば、トイレに行って戻ってくるなど、センサ検知エリアから、ある程度の時間（Ｔmin〜Ｔ０の期間）居なくなり、戻って来る様な場合であり、Ｔmin≦Ｔ≦Ｔ０以内にセンサ検知有フラグがＯｆｆからＯｎに切り替わる場合である。
【０１０８】
  この際、戻って来た時に見逃したシーンが気になる場合があるので、ユーザが戻ってきたタイミングで、現状の再生は継続しつつ、見逃したであろうシーンの先頭であるセンサ連動チャプタの再生位置からの再生再開をするかどうかのメッセージを表示して、ユーザに問い合わせる。
【０１０９】
  再生再開を促すメッセージ例としては、Ｓ６０８と同様である。ユーザが、見逃しシーンの視聴を選択した場合には、センサ連動チャプタ管理ファイルを参照し、再生位置をセンサ連動チャプタに設定し、再生を再開する。
【０１１０】
  これにより、ユーザは戻って来たタイミングで、今まで見ていた内容と、継続して再生されていた現在のシーンと、見逃したシーンのサムネイルから、その間に再生された内容を推測できる。その推測に基づき、見逃したシーンを見直すかどうかを判断して、センサ連動チャプタに再生位置を設定するかを決めることができる。
　
【０１３１】
  図１２は、本実施例のコンテンツ再生装置での表示の一例を示す図である。
【０１３２】
  図１２−１、図１２−２は、図６のＳ６０８、Ｓ６１２、Ｓ６１６のタイミングで表示するユーザへセンサ連動チャプタからの再生を促す表示例である。図１２−１では、ユーザが視聴エリアから一旦外れ、Ｔ１以内に戻ってきた場合に、センサ連動チャプタが存在して見逃したであろうシーンがあることをユーザに提示する表示の一例である。ユーザがセンサ連動チャプタが示す再生位置からの視聴を希望する場合には、ユーザが右下のサムネイル画像を選択することにより、センサ連動チャプタが設定されたシーンからの再生を開始する。
【０１３３】
  このメッセージやサムネイル画像は、センサでユーザを検知してから所定の時間経過後（例えば数秒後）に消し、センサ連動チャプタが設定されたシーンに戻らずそのままそのコンテンツの再生を継続したり、そのときに放送されているコンテンツの再生を行ったりする。
【０１３４】
  図１２−２は、ユーザが視聴エリアから一旦外れてＴ１以内に戻ってきた場合に、どの位置から視聴を再開するかを、コンテンツ全体における現在の再生位置、既存のコンテンツチャプタ位置、センサ連動チャプタ位置（見逃しチャプタ）をユーザに提示している例である。
【０１３５】
  このように、ユーザが視聴エリアの外から戻って来た際に、どこから見るのかを選択できるように構成することので、ユーザにとっての使い勝手が向上する。
　
【実施例２】
【０１６４】
  以下、第二の実施例を、図１６〜図１９を参照して説明する。
【０１６５】
  第一の実施例では、再生中のコンテンツに対して、センサに連動したチャプタを作成することで、ユーザが見逃していた可能性のあるシーンの検索を簡単にすることができた。本実施例は、第一の実施例と同様の装置構成で、個人毎のチャプタのファイル構造を利用することにより、複数人の視聴者に対応できるようにしたものである。
【０１６６】
  図１６は、本実施例のコンテンツ再生装置で作成するチャプタのファイル構成の一例を示す図である。
【０１６７】
  第一の実施例の図３のファイル構成に準じているが、チャプタ管理ディレクトリ配下の各コンテンツディレクトリ（コンテンツ＃００１、＃００２・・・）の下に、登録したユーザ毎のフォルダを有する。そして、そのフォルダにセンサ連動チャプタ管理ファイルを配置する。
【０１６８】
  例えば、父用のフォルダ１６００、その配下にセンサ連動チャプタ管理ファイル１６０１、母用のフォルダ１６０２、その配下にセンサ連動チャプタ管理ファイル１６０３を配置する。また、これを実現するためには、図３の様にセンサとしては、カメラセンサなど個人を特定できるセンサを利用することとなる。カメラセンサを利用し、検知エリア内にいるユーザを顔識別する仕組みが必要になる。
【０１６９】
  顔識別技術としては、あらかじめ登録した顔や体格との照合度合いを利用したり、顔の特徴量（目、鼻、口、眉毛、輪郭などの大きさ、位置関係、色）の違いを利用する方法などが考えられる。個人識別をし、個人毎の視聴状況（不在、よそ見、居眠りなど）を検知して、個人毎のセンサ連動チャプタファイルを更新できるファイル構成である。
【０１７０】
  さらに、このコンテンツのジャンル情報と、各コンテンツの各個人の未視聴シーン（逆は視聴シーンとなる）から、個人が普段どのようなジャンルのコンテンツをどの程度の時間視聴しているかを算出できることになる。つまり、個人毎のジャンルの視聴割合がわかることとなる。これにより、個人の視聴ジャンルのユーザ評価値として利用でき、番組表や録画コンテンツ群から、お奨めコンテンツを選択する場合に利用できるメリットもある。
【０１７１】
  図１７は、本実施例のコンテンツ再生装置での処理の一例を示す図である。例えば、家族３人（父、母、子）で、コンテンツ＃００１を再生して視聴していた場合に、途中で母が炊事のために視聴エリアの外に出た場合に、各人のセンサ検知有フラグは図１７−１の様になる。ここで、父と子は、コンテンツをじっくり視聴しているので、センサ連動チャプタが作成されていない。
【０１７２】
  そのため、父と子のセンサ連動チャプタ管理ファイルは更新されない。母のセンサ検知有フラグは、センサ検知エリアを出たタイミングで、センサ検知有フラグがＯｎからＯｆｆに切り替わり、所定時間ａ戻った位置にセンサ連動チャプタが作成される。
【０１７３】
  ここで、図１６のファイル構成を利用して、母のセンサ連動チャプタ管理ファイルのみ、センサ連動チャプタが作成される。母が炊事を終えて視聴エリアに戻ってきた際には、「母が席を外したところから再生をし直しますか？」のメッセージを出し、父と子の了承を得られれば、センサ連動チャプタ（母）の位置から再生となる。
【０１７４】
  しかし、父と子２人はじっくりとコンテンツを視聴してしまっている状況なので、その様な場合には、「母が席を外したところは、記憶していますので、母一人視聴時に、その位置からコンテンツ再生をお奨めします」という内容のメッセージを表示し、コンテンツ再生を継続することが可能である。
【０１７５】
  実際、母のセンサ連動チャプタ管理ファイルには、センサ連動チャプタが記録されているので、その後母のみセンサ検知エリアにいる場合に、センサ連動チャプタに基づき、未視聴の部分のみを視聴することができる。
　
【０１７９】
  図１８は、本実施例のコンテンツ再生装置での処理の一例を示す図である。
【０１８０】
  図１４の見逃し表示と同様の表示方法であるが、個人毎に存在するセンサ連動チャプタ管理ファイルから、各個人毎に見逃したシーンに、登録したユーザの名前などをチャプタ位置に合わせて表示する例である。ユーザは、図１４のようなチャプタ位置のサムネイルのみでなく、誰が見逃したシーンなのかを、そのチャプタに付与されたユーザ名を確認することができる。例えば、子が見ていなかったシーンの検索などがし易いメリットがある。
　
（ウ）刊行物１に記載された発明
（ウ−１）
　刊行物１の【０００７】の記載によれば、刊行物１に記載された発明はコンテンツの再生を制御することに関する発明が記載されているから、コンテンツの再生を制御する方法の発明が記載されているといえる。
　
（ウ−２）
　刊行物１の【００１２】、【００１９】、【００２０】の記載によれば、刊行物１のコンテンツ再生装置は、ファイル単位でコンテンツを記録し、要求に応じて指定した位置からコンテンツを読み出せるコンテンツ記録部１０８と、操作部１０２からのユーザ操作や、チャプタ情報に従い、再生、一時停止、停止、チャプタジャンプなどコンテンツの再生動作を制御する再生／記録制御部１０７とを備えている。
　したがって、コンテンツ再生装置は記録されたコンテンツを再生している。
　
（ウ−３）
　刊行物１の【００１２】、【００２１】、【００２２】の記載によれば、刊行物１のコンテンツ再生装置は、センサ１１０とセンサ制御部１０９とを備え、人物の存在を検知できるセンサからの映像や音声から特徴量を抽出し、検知エリア内の人物の在不在や視聴状況、視聴者数、視聴者識別などを検知していることが開示されている。
　
（ウ−４）
　刊行物１の【００１６】、【００７５】−【００８５】の記載によると、刊行物１のコンテンツ再生装置は、センサ検知エリア内で、テレビを視聴しているユーザに関して、センサ制御部１０９でセンサ出力から人検知の有無を推定し、センサ検知有フラグ（センサが人の存在を検知している場合にＯｎ、検知していない場合にＯｆｆと設定されるフラグ）のＯｎまたはＯｆｆを判定している。
　そして、ユーザがセンサ検知エリアを離れた場合には、人感センサやカメラセンサの反応から、センサ検知有フラグＯｎの状態からＯｆｆに遷移する。この場合には、センサ検知有フラグＯｎからＯｆｆに遷移したタイミングの再生位置から、ある所定期間ａ戻った再生位置にセンサ連動チャプタをチャプタ制御部が作成している。
　
（ウ−５）
　刊行物１の【０１３１】−【０１３５】、図１２−２の記載によれば、刊行物１に記載された表示例では、コンテンツ全体における現在の再生位置、センサ連動チャプタ位置（見逃しチャプタ）をユーザに提示することが開示されている。
　
（ウ−６）
　刊行物１の【０１０６】−【０１１０】の記載によれば、センサ連動チャプタを作成するシーケンスに従い、センサ検知有フラグがＯｎからＯｆｆに切り替わるタイミングでのコンテンツの再生位置の所定時間ａ戻った位置にセンサ連動チャプタが作成され、ユーザがセンサ検知エリアから、ある程度の時間居なくなり、戻って来た場合センサ検知有フラグがＯｆｆからＯｎに切り替わり、ユーザが戻ってきたタイミングで、現状の再生は継続しつつ、見逃したであろうシーンの先頭であるセンサ連動チャプタの再生位置からの再生再開をするかどうかのメッセージを表示し、ユーザが、見逃しシーンの視聴を選択した場合には、センサ連動チャプタ管理ファイルを参照し、再生位置をセンサ連動チャプタに設定し、再生を再開することが開示されている。
　すなわち、ユーザがセンサ検知エリアからいなくなり、その後戻ってきたとき、センサ連動チャプタの再生位置からの再生再開をするかどうかのメッセージを表示し、ユーザが、見逃しシーンの視聴を選択した場合、再生位置をセンサ連動チャプタに設定し、再生を再開することが開示されている。
　
（ウ−７）まとめ
　以上（ウ−１）ないし（ウ−６）の記載によれば、刊行物１には以下の発明（以下、刊行物１発明という。）が開示されている。
（（ａ）ないし（ｅ）は当審において付与した。以下「構成要件（ａ）」等として引用する。）
　
（ａ）コンテンツの再生を制御する方法であって、
（ｂ）コンテンツ再生装置は記録されたコンテンツを再生し、
（ｃ）人物の存在を検知できるセンサからの映像や音声から特徴量を抽出し、検知エリア内の人物の在不在や視聴状況、視聴者数、視聴者識別などを検知し、
（ｄ）センサ検知エリア内で、テレビを視聴しているユーザに関して、センサ制御部１０９でセンサ出力から人検知の有無を推定し、センサ検知有フラグ（センサが人の存在を検知している場合にＯｎ、検知していない場合にＯｆｆと設定されるフラグ）のＯｎまたはＯｆｆを判定し、ユーザがセンサ検知エリアを離れた場合には、人感センサやカメラセンサの反応から、センサ検知有フラグＯｎの状態からＯｆｆに遷移し、センサ検知有フラグＯｎからＯｆｆに遷移したタイミングの再生位置から、ある所定期間ａ戻った再生位置にセンサ連動チャプタを作成し、
（ｅ）コンテンツ全体における現在の再生位置、センサ連動チャプタ位置（見逃しチャプタ）をユーザに提示し、
（ｆ）ユーザがセンサ検知エリアからいなくなり、その後戻ってきたとき、センサ連動チャプタの再生位置からの再生再開をするかどうかのメッセージを表示し、ユーザが、見逃しシーンの視聴を選択した場合、再生位置をセンサ連動チャプタに設定し、再生を再開する方法。
　
（エ）対比
　補正後発明と刊行物１発明とを対比する。
　
（エ−１）補正後発明の構成要件（Ａ）と刊行物１発明の構成要件（ａ）とを対比する。
　刊行物１発明の「コンテンツの再生を制御する方法」は、補正後発明の「コンテンツ再生を制御するための方法」と相違がない。
　
（エ−２）補正後発明の構成要件（Ｂ）と刊行物１発明の構成要件（ｂ）とを対比する。
　刊行物１発明の「コンテンツ再生装置」は再生装置であり、記録されたコンテンツを再生しているから、コンテンツを再生するステップを有している。
　したがって、刊行物１発明は、補正後発明の構成要件（Ｂ）を有している。
　
（エ−３）補正後発明の構成要件（Ｃ）と刊行物１発明の構成要件（ｃ）とを対比する。
　刊行物１発明の「検知エリア」は、視聴者の状態（人物の在不在や視聴状況、視聴者数、視聴者識別）を検知するためのエリア（領域）であるから、視聴者状態感知領域である。
　そして、刊行物１発明では、上記エリア内の視聴者の状態を「人物の存在を検知できるセンサ」を用いて検知しているから、少なくとも一つの感知器を利用してモニタリングしているといえる。
　したがって、刊行物１発明は、補正後発明の構成要件（Ｃ）を有している。
　
（エ−４）補正後発明の構成要件（Ｄ）と刊行物１発明の構成要件（ｄ）とを対比する。
　刊行物１発明の「センサ検知エリア内で、テレビを視聴しているユーザに関して、センサ制御部１０９でセンサ出力から人検知の有無を推定し、センサ検知有フラグ（センサが人の存在を検知している場合にＯｎ、検知していない場合にＯｆｆと設定されるフラグ）のＯｎまたはＯｆｆを判定」することは、視聴者状態感知領域で視聴者に対する行動をモニタリングして、Ｏｎ、Ｏｆｆの判定を出力しているといえる。
　そして、刊行物１発明では、「センサ検知有フラグＯｎの状態からＯｆｆに遷移し、センサ検知有フラグＯｎからＯｆｆに遷移したタイミングの再生位置から、ある所定期間ａ戻った再生位置にセンサ連動チャプタを作成し」ているから、上記判定に基づいて、視聴者の再生中の前記コンテンツに対する少なくとも一つの地点を識別して確認しているといえる。
　ここで、補正後発明の「関心地点（ＰＯＩ）」について検討すると、本願明細書には、以下のとおりの記載がある。
　
「また、コントローラ１０１は、再生領域１３０に新たな視聴者が入ってきた時点に対応するコンテンツに対する関心地点を確認する。」（【００２８】）、
「即ち、再生装置２１０が関心地点２７０ａ及び２７０ｂを表示した場合、視聴者は、関心地点２７０ｂが女性視聴者が再生領域２３０に入ってきた地点であることを確認することができる。」（【００３７】）、
「即ち、再生装置２１０が関心地点２７０ａ〜２７０ｃを表示した場合、視聴者は、関心地点２７０ｂを介して女性視聴者が再生領域２３０に入ってきた地点であることを確認することができ、関心地点２７０ｃを介して子供（例えば、男の子及び女の子）が再生領域２３０に入ってきた地点であることを確認することができる。」（【００３８】）、
「ステップＳ３２０において、コントローラは、少なくとも一つの感知器から受信したデータを介して関心地点が示されるか視聴者の潜在的な関心イベントが発生するかを確認する。例えば、本実施形態によると、コントローラは、視聴者が再生領域から離れることを確認する。視聴者が再生領域から離れた場合、コントローラは、再生領域から離れた視聴者が後に戻って見逃したコンテンツを再び視聴することができるように、コンテンツに関する関心地点を確認する。また、コントローラは、再生領域に視聴者が入ってくることを確認する。再生領域に視聴者が入ってきた場合、コントローラは、再生領域から離れた視聴者が離れる前に再生していたコンテンツを再び視聴することができるように、コンテンツに関する関心地点を識別して確認する。」（【００４５】）
 　
　上記記載からみて、関心地点は、視聴者がコンテンツを視聴する領域に、入ってきたり出ていった時点のコンテンツの地点を含むものであり、刊行物１発明のチャプタを作成するコンテンツの位置も、視聴者がセンサ検知エリア（コンテンツを視聴する領域）から出入りしたときの位置であるから、この点で関心地点といえるものである。
　したがって、刊行物１発明の構成要件（ｄ）は、補正後発明の構成要件（Ｄ）と「モニタリングした前記視聴者状態感知領域で視聴者に対する行動に基づいて前記視聴者の再生中の前記コンテンツに対する少なくとも一つの関心地点（ＰＯＩ）を識別して確認するステップ」を備えている点で相違がない。
　もっとも、補正後発明では、「視聴者」が「複数の視聴者」であって、「視聴者の再生中の前記コンテンツに対する少なくとも一つの関心地点（ＰＯＩ）を識別して確認する」が「複数の視聴者別に再生中の前記コンテンツに対する少なくとも一つの関心地点（ＰＯＩ）を識別して確認する」のに対し、刊行物１発明では、想定する視聴者が１人であり、「
視聴者別に
識別して確認
および、補正後発明では、「視聴者に対する行動及び騒音レベルの内の少なくとも１つに基づいて」いるのに対し、刊行物１発明では、「騒音レベル」に関する構成を有していない点で相違する。
　
（エ−５）補正後発明の構成要件（Ｅ）と刊行物１発明の構成要件（ｅ）とを対比する。
　刊行物１発明の構成要件（ｅ）の「コンテンツ全体における現在の再生位置、センサ連動チャプタ位置（見逃しチャプタ）をユーザに提示」する構成は、図１２−２の例を参照する。
　上記図によれば、画面の上部の四角の中に、ピラミッド、ラクダ、男女等の表示がなされ、その下に、細長いバーにコンテンツチャプタを表す黒い下向き三角と、上記細長いバーの途中に縦線が表示され、そこから引き出された小さい四角に見逃しチャプタが表示されていることが理解できる。
　上記画面の上部の四角は、【００９１】の記載によれば、「Ｔmin≦Ｔ≦Ｔ０の場合（Ｓ６０６）は、再生動作は継続して行い、その期間にセンサ検知有フラグがＯｆｆからＯｎになった場合（Ｓ６０７）、センサ連動チャプタからの再生再開を促すメッセージを表示する（Ｓ６０８）。再生再開を促すメッセージとしては、図１２が例である。」とあるから、再生動作は継続して行われている、上記再生動作の画像であることは、当業者であれば普通に理解できることである。
　また、上記構成要件（ｅ）の 「コンテンツ全体における現在の再生位置、センサ連動チャプタ位置（見逃しチャプタ）をユーザに提示」する構成と、上記図１２−２の記載とを見れば、細長いバーがコンテンツ全体の長さを表すもの、すなわち、「タイムラインインジケータ」といえることは明らかである。
　また、「センサ連動チャプタ位置（見逃しチャプタ）」が、補正後発明の「関心地点」にあたることは、上記（エ−４）で検討したとおりである。
　したがって、刊行物１発明は、「前記コンテンツと共に前記関心地点を含むタイムラインインジケータを表示するステップ」を有している点で補正後発明と相違がない。
　もっとも、補正後発明では、タイムラインインジケータを表示する位置が、「コンテンツ上に」、「タイムラインインジケータを
重ねて
重ねて
　
（エ−６）補正後発明の構成要件（Ｆ）と刊行物１発明の構成要件（ｆ）とを対比する。
　刊行物１発明では「ユーザがセンサ検知エリアからいなくなり、その後戻ってきたとき、センサ連動チャプタの再生位置からの再生再開をするかどうかのメッセージを表示し、ユーザが、見逃しシーンの視聴を選択した場合、再生位置をセンサ連動チャプタに設定し、再生を再開」している。
　上記構成で、「ユーザが、見逃しシーンの視聴を選択した場合、再生位置をセンサ連動チャプタに設定し、再生を再開」することは、ユーザの入力に応じてコンテンツの再生を制御しているといえる。
　また、上記再生の制御を行う手段として、コントローラを有することは明らかである。
　したがって、刊行物１発明は「コントローラによって、ユーザの入力に応じて前記コンテンツの再生を制御するステップ」を有している。
　もっとも、上記制御するステップが、補正後発明では「ユーザの入力又は予め定義されたプロファイルに応じて」であるのに対し、刊行物１発明では「予め定義されたプロファイルに応じて」の構成を有していない点で相違する。
　
（エ−７）補正後発明の構成要件（Ｆ）と刊行物１発明とを対比する。
　刊行物１発明は、視聴者が一人の場合を想定しているから、構成要件（Ｆ）を有していない。
　
（エ−８）まとめ（一致点・相違点）
　以上まとめると、補正後発明と刊行物１発明とは以下の一致点で一致し相違点で相違する。
　
（一致点）
　コンテンツ再生を制御するための方法であって、
　再生装置でコンテンツを再生するステップと、
　少なくとも一つの感知器を利用して視聴者状態感知領域をモニタリングするステップと、
　モニタリングした前記視聴者状態感知領域で視聴者に対する行動に基づいて前記視聴者の再生中の前記コンテンツに対する少なくとも一つの関心地点（ＰＯＩ）を識別して確認するステップと、
　前記コンテンツと共に前記関心地点を含むタイムラインインジケータを表示するステップと、
　コントローラによって、ユーザの入力に応じて前記コンテンツの再生を制御するステップと、を有する方法。
　
（相違点）
相違点１
補正後発明では、視聴者状態感知領域における「視聴者」が「複数の視聴者」であって、「視聴者の再生中の前記コンテンツに対する少なくとも一つの関心地点（ＰＯＩ）を選択する」が「複数の視聴者別に再生中の前記コンテンツに対する少なくとも一つの関心地点（ＰＯＩ）を識別して確認する」のに対し、刊行物１発明では、想定する視聴者が１人であり、「
視聴者別に
識別して確認
　
相違点２
識別して確認するステップが、補正後発明では、「視聴者に対する行動及び騒音レベルの内の少なくとも１つに基づいて」いるのに対し、刊行物１発明では、「騒音レベル」に関する構成を有していない点。
　
相違点３
補正後発明では、タイムラインインジケータを表示する位置が、「コンテンツ上に」、「タイムラインインジケータを
重ねて
重ねて
　
相違点４
制御するステップが、補正後発明では「ユーザの入力又は予め定義されたプロファイルに応じて」であるのに対し、刊行物１発明では「予め定義されたプロファイルに応じて」の構成を有していない点。
　
相違点５
刊行物１発明は、「前記関心地点は、前記複数の視聴者を区分して互いに異なるように表示される」構成を有していない点。
　
（オ）判断
（オ−１）相違点１、相違点５について
　刊行物１には、上記刊行物１発明を認定した実施例の他に、第二の実施例の構成が開示されている。（【０１６４】−【０１８６】）
　上記第二の実施例の【０１６５】の記載によれば、「第一の実施例では、再生中のコンテンツに対して、センサに連動したチャプタを作成することで、ユーザが見逃していた可能性のあるシーンの検索を簡単にすることができた。本実施例は、第一の実施例と同様の装置構成で、個人毎のチャプタのファイル構造を利用することにより、複数人の視聴者に対応できるようにしたものである。」とあるから、上記刊行物１発明として認定した発明に対して、複数人の視聴者（ユーザ）に対応するような構成を採用した技術思想が開示されているといえる。
　そして、上記第二の実施例の記載によれば、第二の実施例では、ユーザを顔識別することで個人を識別し個人毎のセンサ連動チャプタファイルを更新し（【０１６８】、【０１６９】）、コンテンツに対して各個人毎にチャプタを作成し（【０１７２】）、これを利用して、各個人が希望する再生を可能とする（【０１７３】−【０１７５】）こと、すなわち、視聴者を複数の視聴者とし、複数の視聴者別にコンテンツに対する関心地点を識別して確認する構成が開示されている。
　そして、上記第二の実施例におけるコンテンツ再生装置での表示の例として、図１８では、第一の実施例における図１４を変更した例として、コンテンツのタイムライン上に設けられたチャプタ位置に、各個人を特定できる表示を付与した構成が開示されている。
　上記第二の実施例の表示の例は、第一の実施例における図１４を変更した例であるが、第一の実施例における、図１２の表示の例においても同様の表示を行おうとすることは当業者であれば当然想起しうることである。
　したがって、第一の実施例を上記【０１６５】にあるように第二の実施例に設計変更すれば、刊行物１発明の図１２の表示においても「前記複数の視聴者を区分して互いに異なるように表示」する構成を採用することは、当業者が想定しえたことである。
　したがって、上記相違点１及び相違点５の構成は、刊行物１発明（第一の実施例）を第二の実施例に変更したとき、当業者が容易に想定しえたことである。
　
（オ−２）相違点２について
　刊行物１発明は、「視聴者に対する行動」のみを検出し、これに基づいてコンテンツに対する少なくとも一つの関心地点（ＰＯＩ）を得ているが、視聴者のコンテンツに対する関心地点を得るための指標として、ユーザの声のような視聴領域におけるコンテンツからの音以外の音（騒音）を採用することは、上記刊行物３（【０００２】）の記載や他の刊行物（例えば、特開２０１０−１６４８２号公報、特開２０１１−１８２１０９号公報等参照）にもあるとおり、本願出願前周知の事項であり、当該構成を付加することは、当業者が容易になしえたことである。
　
（オ−３）相違点３について
　刊行物１発明では、タイムラインインジケータの表示に関して、「コンテンツ上に」、「タイムラインインジケータを
重ねて
　しかし、コンテンツと何らかの表示物を同時に表示するとき、上記表示物をコンテンツ上にコンテンツと重ねて表示すること、及び、表示物をコンテンツとは別の位置に、コンテンツと重なることがないように表示することはいずれも周知慣用手段であり、互いに適宜置換可能であるから、刊行物１発明の構成を、上記相違点３にある構成とすることは当業者が適宜なしえたことである。
　
（オ−４）相違点４について
　刊行物１発明におけるコンテンツの再生を制御する際に「予め定義されたプロファイルに応じて前記コンテンツの再生を制御する」構成を付加することは、当該構成が、例えば刊行物２（[０１５９]には、あらたな視聴者が検出されたとき、上記視聴者がペアレンタルコントロールの対象となるような年齢の視聴者であれば、現在視聴している番組のペアレンタルコントロールのランクをみて、上記視聴者にふさわしくない番組を視聴させないように、上記視聴している番組を変更する構成が開示されている。）に記載されるようによく知られた事項であることを踏まえれば、当業者が必要に応じて適宜なしえたことである。
　
（カ）効果
　以上のように、上記相違点は、当業者が容易に想到し得たものと認められ、本願発明全体としてみても格別のものはなく、その作用効果も、上記相違点に係る構成の採用に伴って当然に予測される程度のものにすぎず、格別顕著なものがあるとは認められない。
　
（キ）まとめ（独立特許要件）
　以上によれば、補正後発明は、刊行物１に記載された発明及び本願出願前周知の事項に基づいて当業者が容易に発明をすることができたものであるから、特許法第２９条第２項の規定により、特許出願の際独立して特許を受けることができない。
　
　したがって、本件補正は、特許法第１７条の２第６項において準用する同法第１２６条第７項の規定に違反するので、同法第１５９条第１項の規定において読み替えて準用する同法第５３条第１項の規定により却下すべきものである。
　よって、補正却下の結論のとおり決定する。
　
第３　本願発明について
１．本願発明
　平成２７年３月１１日付けの手続補正は上記のとおり却下されたので、本願の請求項１ないし３６に係る発明は、平成２６年９月２日付け手続補正書により補正された特許請求の範囲の請求項１ないし３６に係る発明のとおりであるところ、そのうち、請求項１９に係る発明（以下「本願発明」という。）は、平成２６年９月２日付け手続補正書により補正された特許請求の範囲の請求項１９に記載された事項により特定される、以下のとおりのものである。
（（Ａ’）ないし（Ｆ’）は当審において付与した。以下「構成要件（Ａ’）」等として引用する。） 
　
（Ａ’）コンテンツ再生を制御するための方法であって、
（Ｂ’）再生装置でコンテンツを再生するステップと、
（Ｃ’）少なくとも一つの感知器を利用して視聴者状態感知領域をモニタリングするステップと、
（Ｄ’）モニタリングした前記視聴者状態感知領域の特徴に基づいて再生中の前記コンテンツに対する少なくとも一つの関心地点（ＰＯＩ）を識別して確認するステップと、
（Ｅ’）コントローラによって、ユーザの入力又は予め定義されたプロファイルに応じて前記コンテンツの再生を制御するステップと、を有することを特徴とする方法。
　
２．刊行物１の記載
　審査官が拒絶の査定で引用した刊行物１には、上記第２　２．（２−３）（イ）（イ−１）に示したとおりの事項が記載されている。
　
３．刊行物１記載の発明
　上記刊行物１には、上記第２　２．（２−３）（ウ）に示した、刊行物１発明が記載されている。
　
４．対比・判断
　本願発明は、前記第２　２．（２−３）（ア）で認定した補正後発明から、上記第２　２．（２−２）で検討した付加して限定する構成を省いたものである。
　上記補正後発明と本願発明とを対比すると、以下の点で、補正後発明を限定する特定事項が省かれている。
　
（ア）補正後発明の構成要件（Ｄ）の構成が、「モニタリングした前記視聴者状態感知領域で複数の視聴者に対する行動及び騒音レベルの内の少なくとも１つに基づいて前記複数の視聴者別に再生中の前記コンテンツに対する少なくとも一つの関心地点（ＰＯＩ）を識別して確認するステップ」と特定されているのに対し、
（ア−１）上記特定事項の「前記視聴者状態感知領域で複数の視聴者に対する行動及び騒音レベルの内の少なくとも１つ」が、本願発明では「前記視聴者状態感知領域の特徴」と特定され、
（ア−２）本願発明では、「複数の視聴者別に」の特定事項が省かれている点。
　
（イ）補正後発明の構成要件（Ｅ）が省かれている点。
　
（ウ）補正後発明の構成要件（Ｇ）が省かれている点。
　
　上記構成要件が省かれた本願発明と、刊行物１とを対比すると、上記第２　２．（２−３）（エ）で検討した相違点４が、本願発明と刊行物１発明との相違点であるといえる。
　
　そして、上記の相違点は、上記第２　２．（２−３）（オ）で検討したとおり、刊行物１に記載された発明および本願出願前周知の技術事項に基づき当業者が容易に想到し得たことであるから、本願発明も、同様の理由により、刊行物１に記載された発明に基づいて当業者が容易に発明をすることができたものである。
　
第４　まとめ  
　以上のとおり、本願の請求項１９に係る発明は、刊行物１に記載された発明に基づいて当業者が容易に発明をすることができたものであるから、特許法第２９条第２項の規定により特許を受けることができない。 
　したがって、残る請求項１ないし１８、請求項２０ないし３６に係る発明について検討するまでもなく、本願は拒絶すべきものである。
　よって、結論のとおり審決する。